(57)【要約】      （修正有）【課題】蛍光灯照明をＬＥＤ照明に交換する場合の工事プロセス数や交換部品点数を低減して低価格でＬＥＤ化を可能とした構造のＬＥＤ照明器具を提供する。【解決手段】直管蛍光灯に替えた細長のＬＥＤ搭載プリント基板２を実装した天井固定型のＬＥＤ照明器具を構成する照明器具本体１の主面にＬＥＤ搭載プリント基板２が搭載される平坦な平面部を有し、平面部の表面に、平面部の長手方向に沿って配置された複数対の係止爪４が形成され、ＬＥＤ搭載プリント基板２は、長手方向側縁に沿って複数対の係止爪４で抱持して平面部に固定する。【選択図】図１
0003193001.tif 000002
【実用新案登録請求の範囲】
【請求項１】
直管蛍光灯に替えた細長のＬＥＤ搭載プリント基板を実装した天井固定型のＬＥＤ照明器具であって、
前記ＬＥＤ照明器具は、照明器具本体の主面に前記ＬＥＤ搭載プリント基板が搭載される平坦な平面部を有し、
前記平面部の表面に、当該平面部の長手方向に沿って配置された複数対の係止爪が形成され、
前記ＬＥＤ搭載プリント基板は、前記長手方向側縁に沿って前記複数対の係止爪で抱持されて前記平面部に固定されてなることを特徴とするＬＥＤ照明器具。
【請求項２】
請求項１において、
前記平面部は前記照明具本体の長手方向に形成された稜線で前記照明器具本体の短手方向に対して互いに逆方向に傾斜した一対の傾斜した傾斜面で構成され、
前記一対の傾斜面のそれぞれの長手方向に沿って前記複数対の係止爪が配置されてなることを特徴とするＬＥＤ照明器具。
【請求項３】
請求項１又は２において、
前記係止爪は、前記平面の部材を切起こし、切り越した端部が互いに対向するごとく折り曲げたＬ字形突出片で構成されてなることを特徴とするＬＥＤ照明器具。
【請求項４】
請求項１乃至３の何れかにおいて、
前記ＬＥＤ搭載プリント基板の前記長手方向側縁に沿って、前記係止爪による最終固定位置からオフセットした位置に、当該係止爪を下側から上側に首出しして挿通させる切り欠きを形成してなり、
前記ＬＥＤ搭載プリント基板の前記係止爪を前記切り欠きに挿入した後、当該ＬＥＤ搭載プリント基板を、前記長手方向に移動させ、前記切り欠きの領域外に前記係止爪を位置させることで前記平面の表面に前記ＬＥＤ搭載プリント基板を固定してなることを特徴とするＬＥＤ照明器具。
【請求項５】
請求項３又は４において、
前記係止爪の前記切お越した端部の前記Ｌ字形突片に前記ＬＥＤ搭載プリント基板側に突出する係止突起を有することを特徴とするＬＥＤ照明器具。
【請求項６】
請求項５において、
前記ＬＥＤ搭載プリント基板に、前記係止突起を係止する係止孔を有することを特徴とするＬＥＤ照明器具。
【請求項７】
請求項５において、
前記ＬＥＤ搭載プリント基板に、前記係止突起を係止する係止溝を有することを特徴とするＬＥＤ照明器具。
【請求項８】
請求項１乃至７の何れかにおいて、
前記照明器具本体の内部に、前記ＬＥＤ搭載プリント基板に搭載されたＬＥＤを点灯制御するための電源ユニットを取り付けてなることを特徴とするＬＥＤ照明器具。
【考案の詳細な説明】
【技術分野】
【０００１】
本考案は、発光手段として多数のＬＥＤ素子を配置したＬＥＤ照明器具に係り、特に既存の直管蛍光灯器具と置換可能でその費用が廉価な取付け構造とした長尺のＬＥＤ搭載プリント基板を用いたＬＥＤ照明器具に関する。
【背景技術】
【０００２】
発光性能の向上と低消費電力という特性から、発光デバイスにＬＥＤ素子（発光ダイオード）を用いた照明器具が従来の白熱電球や蛍光灯との置き換えが進んでいる。ＬＥＤ素子（以下、単にＬＥＤとも称する）を用いた照明器具（ＬＥＤライト）は、１又は複数のＬＥＤを駆動電源と共に灯器に封止した白熱電球タイプから、複数のＬＥＤを長尺のストリップ状実装基板（プリント基板）に配列した、所謂直管蛍光灯タイプ、円環状の実装基板を用いたサークライン（商標名）蛍光灯タイプ（サーク管タイプ）、円盤状等の実装基板を用いたシーリングタイプなど、多様な形状、サイズのものが実用化されている。
【０００３】
本考案が対象とするのは、山形の実装面を有するタイプ、通称「逆富士タイプ」と称する天井直付型や天井板に本体を埋設した天井埋込型が好適ではあるが、多数のＬＥＤ素子を実装した板状のＬＥＤ搭載基板を照明器具の光反射面等の平面に実装する他のタイプを排除するものではない。
【０００４】
例えば、逆富士タイプの光反射面（蛍光管の取り付け面）を持つ蛍光灯照明器具は、頂部を下側にした三角形の傾斜面を長手方向に沿って二面有する。当該に面の傾斜面の長手方向に沿って直管蛍光管をそれぞれ設置し、内部に駆動電源（所謂、安定器などから構成される点灯回路）が収容されている上記傾斜面を含めた下面は、光反射面となっているのが一般的である。蛍光管を覆って保護カバー（あるいは光拡散カバー）を取り付けたものもある。このタイプの蛍光灯照明器具には、天井面に直付けするものと、チェーン等で吊り下げるものがある。
【０００５】
また、天井埋め込み型は、直管蛍光管を設置する反射板などの蛍光管取付け面が露呈するように開口させて、照明器具本体の大部分を天井に設けた凹部（あるいは開口）に埋め込んだものである。この照明器具でも、蛍光管を覆って保護カバー（あるいは光拡散カバー）を取り付けたものもある。通常、駆動電源は照明器具の本体内部に収納されている。この種のＬＥＤ照明器具に関する従来技術を開示したものとしては、特許文献１、特許文献２、特許文献３、特許文献４等を挙げることができる。
【０００６】
特許文献１は、ＬＥＤ搭載基板と、この基板が取り付けられる照明器具本体を有し、ＬＥＤ搭載基板の長辺における側部の少なくとも一部を押板で覆ってＬＥＤ実装基板の固定位置を確定した上で、照明器具本体に当該ＬＥＤ搭載基板を押圧するようにネジを用いて取り付け、ＬＥＤ基板からの熱を器具本体で放熱するようにしたＬＥＤ照明器具を開示する。
【０００７】
特許文献２に開示されたＬＥＤ照明器具は、照明器具本体に着脱自在に取り付けられる光源ユニットを備える。光源ユニットは、複数のＬＥＤを搭載したＬＥＤ基板を照明器具本体に取り付けるための取付部材と、ＬＥＤに点灯電力（駆動電力）を供給する電源装置（電源ユニット）で構成されている。ＬＥＤ基板の取付部材は、長尺且つ矩形板状に形成された底面部の幅方向における両側から底面部と直交する方向に突出する一対の側面部を有する。電源装置は、電源基板を収納するための収納ケースを有し、収納ケースは、少なくとも一方の側面部に取り付けられて、その底面部と一対の側面部とで囲まれる空間に配置されたＬＥＤ照明器具を開示する。
【０００８】
特許文献３は、下面部を所定角度の逆富士山状に形成して設けた反射板を有する器具本体の反射板面に沿ってそれぞれ揺動軸で取り付けたＬＥＤパネル（多数のＬＥＤを搭載したプリント基板）から成り、ＬＥＤパネルが遥動軸部を支点として左右それぞれが独立して所定角度遥動可能に設けたることで、照射角度を拡大して発光面積を広げ発光性能を向上させたＬＥＤ照明器具を開示する。
【０００９】
なお、特許文献４は、電源を内蔵した直管蛍光管型のＬＥＤ照明管を用いたＬＥＤ照明器具を開示する。このタイプのＬＥＤへの置換では、蛍光管点灯回路（電源ユニット）の切り離し工事が必要である。
【先行技術文献】
【特許文献】
【００１０】
【特許文献１】特開２０１０−７３６７０号公報
【特許文献２】特開２０１４−７８４２５号公報
【特許文献３】特開２０１０−２１９０１５号公報
【特許文献４】特開２０１０−８０３１３号公報
【考案の概要】
【考案が解決しようとする課題】
【００１１】
蛍光管照明をＬＥＤ照明に置き換える場合、ＬＥＤ照明器具毎に置換する、すなわち照明器具全体を取り替えることが一般的に行なわれている。また、特許文献４に開示されたような照明器具に電源ユニットを内蔵して、蛍光管のみを着脱自在とした蛍光灯照明器具に代えて多数のＬＥＤを取り付けたＬＥＤ基板からなる蛍光管形状の灯器を当該蛍光管と置き換える場合は、前記したように、灯器本体の裏側に収納されている蛍光管駆動用の電源ユニットを商用電源と蛍光管給電線とから切り離す。
【００１２】
多数のＬＥＤ素子を搭載したプリント基板（以下、単にＬＥＤ基板とも称する）を蛍光灯の取り付け面（通常は、光反射面）に設置し、このＬＥＤ基板とは別個に用意した電源ユニットを照明器具に内蔵したものでは、上記の蛍光管駆動用の電源ユニットの切り離しに加えてＬＥＤ駆動用の電源ユニットを照明器具の本体内に新たに設置する工事が必要となり、取替え工事が煩雑となる。このような煩雑さを回避するために、照明器具を全交換することが行われている。
【００１３】
その結果、天井直付け型や天井埋め込み型の蛍光灯照明器具をＬＥＤ照明器具に取り替えるための費用はかなり高くなる。また、取り外した蛍光灯照明器具は廃棄されることになり、資源の無駄となる。
【００１４】
天井直付け型や天井埋め込み型の蛍光灯照明具では、照明器具の本体となる筐体（本体）や透明カバーあるいは光拡散カバーなどの主要な本体構造部材は発光体（蛍光管）と電源ユニットを除いて再利用が可能であるので、これらの部材をそのまま使用できるようにするのが望ましい。一般的に、この種の照明器具は、その器具本体を構成する筐体の価格が全体に占める割合が大きい。交換を必要としない部材は出来るだけ既存のものをそのまま利用すれば、取替えに要する部品点数、工事のプロセス数が少なくなり、全体として取替え費用の低価格化が可能となる。
【００１５】
また、照明器具の反射面などの平面部へのＬＥＤ基板の取り付けは、前記した従来技術に見られる如く、ボルト・ナットなどのネジを用いるものが多いため、取り付け作業に時間がかかる。また、ネジなどの付帯的部品を必要とすることで、部品点数の削減効果を減殺する原因ともなっている。
【００１６】
本考案の目的は、蛍光灯照明をＬＥＤ照明に交換する場合の工事プロセス数や交換部品点数を低減して低価格でＬＥＤ化を可能とした構造のＬＥＤ照明器具を提供することにある。
【課題を解決するための手段】
【００１７】
上記目的を達成するため、本考案は、天井等の設置部材に取り付けられている照明器具本体を含む部品の大部分はそのまま用い、最小限の部品交換でＬＥＤ照明に転換することで、取替え工事と費用の最小化を実現する。そのための代表的な手段を以下に列挙する。なお、本考案の理解を容易にするため、図面の符号を付記して記述する。
【００１８】
（１）直管蛍光灯に替えた細長のＬＥＤ搭載プリント基板（２）を実装した天井固定型のＬＥＤ照明器具であって、
前記ＬＥＤ照明器具は、照明器具本体（１）の主面に前記ＬＥＤ搭載プリント基板（２）が搭載される平坦な平面部（１３）を有し、
前記平面部（１３）の表面に、当該平面部（１３）の長手方向に沿って配置された複数対の係止爪（４）が形成され、
前記ＬＥＤ搭載プリント基板（２）は、前記長手方向側縁に沿って前記複数対の係止爪（４）で抱持して前記平面部（１３）に固定されていることを特徴とする。
【００１９】
（２）上記（１）における前記平面部（１３）は前記照明具本体（１）の長手方向に形成された稜線（１５）で前記照明器具本体の短手方向に対して互いに逆方向に傾斜した一対の傾斜した傾斜面（１３a，１３ｂ）で構成され、
前記一対の傾斜面（１３a，１３ｂ）のそれぞれの長手方向に沿って前記複数対の係止爪（４）が配置されていることを特徴とする。
【００２０】
（３）上記（１）または（２）における前記係止爪（４）は、前記平面（１３）の部材を切り起こし、切り越した先端部が互いに対向するごとく折り曲げたＬ字形突出片で構成されていることを特徴とする。
【００２１】
（４）上記（１）乃至（３）の何れかにおける前記ＬＥＤ搭載プリント基板（２）の前記長手方向側縁に沿って、前記係止爪（４）による最終固定位置からオフセットした位置に、当該係止爪（４）を下側から上側に首出しして挿通させる切り欠き（８）を形成してなり、
前記ＬＥＤ搭載プリント基板（２）の前記係止爪（４）を前記切り欠き（８）に挿入した後、当該ＬＥＤ搭載プリント基板（２）を、前記長手方向に移動させ、前記切り欠き（８）の領域外に前記係止爪（４）を位置させることで前記平面（１３）の表面に前記ＬＥＤ搭載プリント基板（２）を固定することを特徴とする。
【００２２】
（５）上記（３）又は（４）における前記係止爪（４）の前記切お越した端部の前記Ｌ字形突片に前記ＬＥＤ搭載プリント基板（２）側に突出する係止突起（４１）を有することを特徴とする。
【００２３】
（６）上記（５）における前記ＬＥＤ搭載プリント基板（２）に、前記係止突起（４１）を係止する係止孔（９１）を有することを特徴とする。
【００２４】
（７）上記（５）における前記ＬＥＤ搭載プリント基板（２）に、前記係止突起（４１）を係止する係止溝（９２）を有することを特徴とする。
【００２５】
（８）上記（１）乃至（７）の何れかにおける前記照明器具本体（１）の内部に、前記ＬＥＤ搭載プリント基板（２）に搭載されたＬＥＤを点灯制御するための電源ユニット（２０）を取り付けてなることを特徴とする。
【００２６】
本考案は、上記の構成に限るものではなく、複数の係止爪（４）を千鳥状に（互い違いに）配置する等、本考案の技術思想を逸脱することなく、種々の変形が可能であることはいうまでもない。
【考案の効果】
【００２７】
本考案に係るＬＥＤ照明器具は、既存の蛍光灯照明器具と置き換えるためのもので、再利用可能な部材をそのまま残し、交換部材を最小限とすることで、工事や作業の手間を削減し、蛍光灯照明を低価格でＬＥＤ照明に置き換えることができる。これを実現するため、既存の蛍光管取付け部材と同じ形状の平面部材に係止爪を切り起し、多数のＬＥＤ素子を搭載した長尺のプリント基板をこの係止爪を用いて固定することにより、簡単な構造、かつ簡単な作業でＬＥＤ照明に交換できる。
【図面の簡単な説明】
【００２８】
【図１】本考案に係るＬＥＤ照明器具の実施例１を説明する展開斜視図である。
【図２】本考案に係るＬＥＤ照明器具の実施例１のＬＥＤ搭載プリント基板の配置を説明する（ａ）は要部平面面、（ｂ）は（ａ）のＡ部分を拡大して示す要部斜視図である。
【図３】本考案に係るＬＥＤ照明器具の実施例２を説明する展開斜視図である。
【図４】本考案に係るＬＥＤ照明器具の実施例２のＬＥＤ搭載プリント基板の配置の説明図である。
【図５】本考案に係るＬＥＤ照明器具の実施例３を説明するＬＥＤ搭載プリント基板の固定構造を説明する要部斜視図である。
【図６】本考案に係るＬＥＤ照明器具の実施例４を説明するＬＥＤ搭載プリント基板の固定構造を説明する要部斜視図である。
【図７】本考案に係るＬＥＤ照明器具の実施例４の詳細を説明する図６のＸ−Ｘ’に沿った断面図である。
【図８】本考案に係るＬＥＤ照明器具に内蔵される電源ユニットのケースを説明する（ａ）は平面図、（ｂ）は（ａ）のＸ−Ｘ’線に沿った断面図である。
【図９】本考案に係るＬＥＤ照明器具に内蔵される電源ユニットのケースを説明する斜視図である。
【図１０】本考案に係るＬＥＤ照明器具に内蔵される電源ユニットの取り付け状態の説明図である。
【考案を実施するための形態】
【００２９】
本考案に係るＬＥＤ投光器の基本構成は、既存の照明器具の主要構成部材はそのまま残し、必要な部材のみを取替えることにある。取替え用のＬＥＤ搭載プリント基板を照明器具の反射平面等への固定に、当該反射平面等の部材から切り起した係止爪を用いることで、固定構造を単純にし、ネジなどの付加的な部品を不要とした。以下、本考案を実施するための形態を、実施例の図面を参照して詳細に説明する。
【実施例１】
【００３０】
図１は、本考案に係るＬＥＤ照明器具の実施例１を説明する展開斜視図であって、天井直付けタイプであり、光拡散カバーを照明器具本体から取り外してＬＥＤ搭載プリント基板を露呈させて示す。照明器具本体１は、図示しない固定手段で天井部材に背面を固定したベース部（図示せず）に取り付けた短辺リム１２を有し、長辺リム１１を形成して多数のＬＥＤ素子３を搭載したＬＥＤ搭載プリント基板２を実装した平面部（ここでは、反射板）１３を着脱自在に固定してある。この平面部は亜鉛引き鉄板等の薄板のプレス加工あるいは板金成形品である。
【００３１】
この平面部１３の傾斜面１３ａ，１３ｂにＬＥＤ搭載プリント基板２が実装されるが、その実装にネジなどを使わずに、当該平面部１３の構成部材を切り起こした係止爪４で固定してある。平面部１３を構成する傾斜面１３ａ，１３ｂの表面に、当該平面部１３の長手方向に沿って複数対の係止爪４が形成されている。ＬＥＤ搭載プリント基板２は、前記長手方向側縁に沿って複数対の係止爪４で幅方向から抱持されて固定される。光拡散カバー５はその端部の壁にボルト穴５１を有し、照明器具本体１の短辺リム１２に設けた受けネジ穴に取り付けボルト５２で固定される。
【００３２】
図２は、本考案に係るＬＥＤ照明器具の実施例１のＬＥＤ搭載プリント基板の配置を説明する（ａ）は要部平面面、（ｂ）は（ａ）のＡ部分を拡大して示す要部斜視図である。平面部１３は照明具本体１の長手方向に形成された稜線１５で照明器具本体１の短手方向に対して互いに逆方向に傾斜した一対の傾斜面１３a，１３ｂで構成され、この一対の傾斜面１３a，１３ｂのそれぞれの長手方向に沿って複数対の係止爪４が配置されている。
【００３３】
平面部１３の部材（ここでは薄い鉄板等）の面の一部を切り起こした係止片４は、切り越した端部が互いに対向するごとくＬ字形に折り曲げられてＬＥＤ搭載プリント基板２を幅方向から抱持するように形成される。本実施例の係止片４は、その切り起し高さがＬＥＤ搭載プリント基板２の厚みより僅かに高くなるようにし、ＬＥＤ搭載プリント基板２を所定位置に抱持した状態で、そのＬ字状の折り曲げ部を適宜の工具で押圧することで当該ＬＥＤ搭載プリント基板２を傾斜面１３a，１３ｂに固定する。
【００３４】
このようにしてＬＥＤ搭載プリント基板２を固定した平面部１３を、蛍光管を取り付けていた既存の平面部の部材と交換する。なお、電源ユニットは本体の内部に後述する態様で設置される。
【００３５】
本実施例により、簡単な構造、簡単な作業、且つ廉価でＬＥＤ照明に交換できるＬＥＤ照明器具を得ることができる。
【実施例２】
【００３６】
図３は、本考案に係るＬＥＤ照明器具の実施例２を説明する展開斜視図、図４は、図３における平面に実装されるＬＥＤ搭載プリント基板の配置の説明図である。本実施例のＬＥＤ照明器具は天井埋め込みタイプであり、ＬＥＤ搭載プリント基板２を備えた照明器具本体１を、家屋等の天井に開けた凹部あるいは開口の中に埋め込んで使用される。照明器具本体１の外周には埋め込み枠６が設けられ、天井部材の開口縁を覆う装飾部材となっている。
【００３７】
ＬＥＤ搭載プリント基板２は、蛍光管設置部分に相当する平面部１３の傾斜面１３ａ、１３ｂに係止爪４で固定されている。この係止爪４は上記した実施例１と同様に平面部１３の切り越しで形成されたものである。平面部１３の長手方向縁には折り返し７が形成されている。この折り返し７は上記した埋め込み枠６の部分で照明器具本体に取り付けられる。図示しないが、この取付けには、当該折り返し７に設けた返し片、あるいは簡単なネジを用いる。
【００３８】
本実施例によっても、簡単な構造、簡単な作業、且つ廉価でＬＥＤ照明に交換できるＬＥＤ照明器具を得ることができる。
【実施例３】
【００３９】
図５は、本考案に係るＬＥＤ照明器具の実施例３を説明するＬＥＤ搭載プリント基板の固定構造を説明する要部斜視図である。実施例３の主要な構成は前記した実施例１、実施例２と同様なので、重複説明は省略する。実施例３はＬＥＤ搭載プリント基板２を平面部１３に設けた係止爪で固定する構造に特徴を有する。すなわち、本実施例では、ＬＥＤ搭載プリント基板２の長手方向両側縁に沿い係止爪４による当該ＬＥＤ搭載プリント基板２の最終固定位置からオフセットした位置に、当該係止爪４を下側から上側に首出しして挿通させる切り欠き８を形成してある。
【００４０】
平面部１３にＬＥＤ搭載プリント基板２を実装する場合、係止爪４を切り欠き８に挿入した後、ＬＥＤ搭載プリント基板２を長手方向で最終固定位置となるように距離Ｄだけ移動させて係止爪４を切り欠き８の領域外に位置させる。係止爪４を上側から押圧してＬＥＤ搭載プリント基板２の表面に密着させる。これにより、平面部１３にＬＥＤ搭載プリント基板２が固定される。
【００４１】
切り欠き８の開口形状は、係止爪４の平面視と同様にして、そのサイズを若干大きくしておけば、固定作業が容易である。なお、この切り欠き８の開口形状は図示したものに限らず、係止爪４がプリント基板を通過できる形状であれば矩形などでもよい。
【００４２】
本実施例によっても、簡単な構造、簡単な作業、且つ廉価でＬＥＤ照明に交換できるＬＥＤ照明器具を得ることができる。
【実施例４】
【００４３】
図６は、本考案に係るＬＥＤ照明器具の実施例４を説明するＬＥＤ搭載プリント基板の固定構造を説明する要部斜視図である。また、図７は、実施例４の詳細を説明する図６のＸ−Ｘ’に沿った断面図である。本実施例の主要な構成は上記した実施例３と同様に実施例１、実施例２と同じなので、重複説明は省略する。実施例４はＬＥＤ搭載プリント基板２を平面部１３に設けた係止爪４で固定すると共に、この固定をより確実にする構造に特徴を有する。すなわち、本実施例では、ＬＥＤ搭載プリント基板２の長手方向両側縁に沿い係止爪４による当該ＬＥＤ搭載プリント基板２の最終固定位置から若干離れた位置に、当該係止爪４を下側から上側に首出しして挿通させる切り欠き８を形成してある。実施例４では、切り欠き８を係止爪４の平面視形状に合わせた矩形としてあるが、係止爪４を通せる開口であればこれに限らない。
【００４４】
係止爪のＬ字部分の先端に、プリント基板２方向に突出した係止突起４１が形成されている。そして、ＬＥＤ搭載プリント基板２の最終固定位置に係止爪４の先端に設けた上記係止突起４１を受ける係止部９を設けてある。
【００４５】
平面部１３にＬＥＤ搭載プリント基板２を実装する場合、係止爪４を切り欠き８に挿入した後、ＬＥＤ搭載プリント基板２を長手方向で最終固定位置に形成されている係止部９に係止突起４１が落ち込むように距離Ｄだけ移動させる。これにより、係止爪４の弾性作用でＬＥＤ搭載プリント基板２が固定される。
【００４６】
図７の（ａ）は図６における係止部９の具体例１を説明するもので、係止爪４の先端に形成した係止突起４１を受ける係止部９を、プリント基板を貫通する長穴（あるいはスリット）としたものである。また、図７の（ａ）は同じく係止部９の具体例２を説明するもので、係止爪４の先端に形成した係止突起４１を受ける係止部９をプリント基板の表面を若干掘り込んだ長溝としたものである。実施例４における係止突起４１と係止部９は、上記したものに限らず。円柱状突起とこれを受ける円形穴や円形窪みなどとすることでも同様の固定効果が得られる。
【００４７】
本実施例によっても、簡単な構造、簡単な作業、且つ廉価でＬＥＤ照明に交換できるＬＥＤ照明器具を得ることができる。
【実施例５】
【００４８】
図８は、本考案に係るＬＥＤ照明器具に内蔵される電源ユニットのケース（収容箱）を説明する（ａ）は平面図、（ｂ）は（ａ）のＸ−Ｘ’線に沿った断面図である。また、図９は、本考案に係るＬＥＤ照明器具に内蔵される電源ユニットのケースを説明する斜視図である。そして、図１０は、本考案に係るＬＥＤ照明器具に内蔵される電源ユニットの取り付け状態の説明図である。
【００４９】
上記した各実施例では、ＬＥＤを点灯駆動する電源ユニットについては説明していない。実施例５は、上記各実施例に共通な電極ユニットの取り付け構造を開示する。本考案の電源ユニット１０は、電源回路を搭載した電源ユニット２０を有底のカバー３０に収納してある。カバー３０は、ＬＥＤ搭載プリント基板を実装する平面部１３と同様の亜鉛引き鉄板等の金属薄板が用いられる。カバー３０の底部の四隅には当該底材を内部に切り起こした係止爪４０が設けてある。この係止爪で電源回路を搭載した電源ユニット２０をカバー３０の底部に固定する。
【００５０】
図９に示したように、カバー３０の開口縁には係止突起２１１とストッパー２１２が形成されている。この電源ユニットを照明器具に取り付ける場合は、係止突起２１１をＬＥＤ照明器具の本体内部の背板などに設けたスリット開口に当該係止突起２１１部材の弾性に抗して嵌合する。ストッパー２１２は突起２１１の姿勢を保持してカバー３０の安定的固定を行う。
【００５１】
本実施例により、簡単な構造、簡単な作業、且つ廉価でＬＥＤ照明に交換できるＬＥＤ照明器具を得ることができる。
【符号の説明】
【００５２】
１・・・照明器具本体
２・・・ＬＥＤ搭載基板
３・・・ＬＥＤ素子
４・・・係止爪
５・・・光拡散カバー
７・・・折り返し
８・・・切り欠き
９・・・係止部
１０・・・電源ユニット
１１・・・長辺リム
１２・・・短辺リム
１３・・・平面部
２０・・・電源基板
３０・・・カバー
４０・・・係止爪
６０・・・器具背板
【図１】
0003193001.tif 000003
【図２】
0003193001.tif 000004
【図３】
0003193001.tif 000005
【図４】
0003193001.tif 000006
【図５】
0003193001.tif 000007
【図６】
0003193001.tif 000008
【図７】
0003193001.tif 000009
【図８】
0003193001.tif 000010
【図９】
0003193001.tif 000011
【図１０】
0003193001.tif 000012